(57)【特許請求の範囲】
【請求項１】
予め複数の領域に分割された記録媒体上にデータを記録する記録装置において、
上記複数の領域の各々に対応する複数の操作手段と、
上記複数の操作手段のうち使用者に操作された操作手段に対応する領域にデータを記録する記録手段と、
暗証番号入力手段と、
上記複数の操作手段のうち所定の操作手段が操作される際、上記暗証番号入力手段にて入力された暗証番号の一致がとれた場合に、操作された上記所定の操作手段に対応する領域への記録動作を許可する
ことを特徴とする記録装置。
【請求項２】
更に、オーディオ信号を入力する入力手段を備え、
上記記録手段は、上記複数の操作手段のうち一の操作手段に対して使用者により操作されている間に上記入力手段より入力される入力信号をデータ化して記録することを特徴とする請求項１記載の記録装置。
【請求項３】
予め複数の領域に分割された記録媒体上に記録されたデータを再生する再生装置において、
上記複数の領域の各々に対応する複数の操作手段と、
上記複数の操作手段にうち使用者に操作された操作手段に対応する領域に記録されるデータを再生する再生手段と、
暗証番号入力手段と、
上記複数の操作手段のうち所定の操作手段が操作される際、上記暗証番号入力手段にて入力された暗証番号の一致がとれた場合に、操作された上記所定の操作手段に対応する領域に記録されるデータの再生を許可する
ことを特徴とする再生装置。
【発明の詳細な説明】
【０００１】
【産業上の利用分野】
本発明は、例えば小型の光磁気ディスクを用いて音声等の記録再生を行うディスク記録再生装置に関するものである。
【０００２】
【従来の技術】
例えば小型の光磁気ディスクを用いて音声等の記録再生を行う、いわゆるミニ・ディスク（ＭＤ）と呼ばれるディスクシステムが提案されている（特願平３−２７５０６７号等参照）。
【０００３】
このようなミニ・ディスク（ＭＤ）において、記録は、従来は図４に示すようにディスクの内周側より順次に行われるようになっている。すなわち記録領域の始端には、データの記録の状況を示す情報（ＴＯＣ： Table Of Contents）のエリアが設けられ、これに続いてデータ▲１▼、データ▲２▼、データ▲３▼・・・のエリアが順次設けられる。
【０００４】
しかしながらこのようなミニ・ディスク（ＭＤ）を使用して、例えば音声メモ装置を構成する場合に、１枚のミニ・ディスク（ＭＤ）を複数の使用者で共用させようとすると、上述の内周側より順次に行われる記録では各使用者との対応を取ることが困難である。
この発明はこのような点に鑑みて成されたものである。
【０００５】
【発明が解決しようとする課題】
解決しようとする問題点は、内周側より順次に行われる記録では、例えば複数の使用者が共用する場合に各使用者との対応を取ることが困難であるというものである。
【０００６】
【課題を解決するための手段】
本発明は、予め複数の領域に分割された記録媒体上にデータを記録する記録装置において、複数の領域の各々に対応する複数の操作手段と、複数の操作手段のうち使用者に操作された操作手段に対応する領域にデータを記録する記録手段と、暗証番号入力手段と、複数の操作手段のうち所定の操作手段が操作される際、暗証番号入力手段にて入力された暗証番号の一致がとれた場合に、操作された所定の操作手段に対応する領域への記録動作を許可することを特徴とする記録装置、または予め複数の領域に分割された記録媒体上に記録されたデータを再生する再生装置において、複数の領域の各々に対応する複数の操作手段と、複数の操作手段にうち使用者に操作された操作手段に対応する領域に記録されるデータを再生する再生手段と、暗証番号入力手段と、複数の操作手段のうち所定の操作手段が操作される際、暗証番号入力手段にて入力された暗証番号の一致がとれた場合に、操作された所定の操作手段に対応する領域に記録されるデータの再生を許可することを特徴とする再生装置である。
【０００７】
【作用】
これによれば、ディスクの記録領域が複数のエリアに分割され、この分割毎に対応した操作手段が設けられることによって、各使用者との対応を極めて容易に取ることができる。
【０００８】
【実施例】
図１において、１は例えばオーディオ信号の入力端子であって、この入力端子１からのオーディオ信号がＡ／Ｄコンバータ回路２に供給されて、ディジタルデータが形成される。このデータが音声圧縮用のＡＴＲＡＣエンコーダ／デコーダ回路３に供給され、この回路３からのエンコードされたデータがショック・プルーフ・メモリ・コントローラ４を通じて１ＭビットＤＲＡＭ５に供給される。
【０００９】
さらに６はシステムコントロール用のＣＰＵであって、操作部７からの信号を受けて装置全体の制御が行われると共に、制御の状態等が表示部８に表示される。ここでこの操作部７には、例えば図中に示すように複数の操作ボタン７１と、０〜９の数字ボタン７２と、記録ボタン７３が設けられる。
【００１０】
またこのＣＰＵ６とコントローラ４との間で通信が行われ、ＤＲＡＭ５に所定量のデータが蓄積されると、このデータが読み出されて記録が行われる。すなわちＤＲＡＭ５からコントローラ４を通じて読み出されたデータが記録用の８−１４変換（ＥＦＭ）と誤り訂正符号化（ＣＩＲＣ）のエンコーダ／デコーダ回路９に供給され、この回路９からのエンコードされたデータがヘッド駆動回路１０に供給される。これによって記録ヘッド１１の磁界が変化され、この磁界の変化がミニ・ディスク（ＭＤ）１２の上面側から供給される。
【００１１】
さらにＣＰＵ６からの信号がサーボ回路１３を通じて光学ピックアップ１４に供給され、ミニ・ディスク（ＭＤ）１２の下面側から所定のタイミングでレーザーが照射される。またこのとき光学ピックアップ１４の送りモータ１５及びミニ・ディスク（ＭＤ）１２のスピンドルモータ１５がサーボ回路１３からの信号によって制御駆動される。このようにして入力端子１に供給されたオーディオ信号がミニ・ディスク（ＭＤ）１２に記録される。
【００１２】
これに対して再生時には、光学ピックアップ１４からの信号がＲＦアンプ１７を通じてエンコーダ／デコーダ回路９に供給される。またＲＦアンプ１７からの信号がアドレスデコーダ１８に供給され、上述の絶対番地に相当するクラスタ番号が判別される。このアドレスデコーダ１８からのクラスタ番号がエンコーダ／デコーダ回路９を通じてＣＰＵ６に供給される。これによって光学ピックアップ１４が所望のデータの記録された記録領域に移動される。
【００１３】
さらにエンコーダ／デコーダ回路９でデコードされたデータが、コントローラ４を通じて１ＭビットＤＲＡＭ５に供給される。そしてこのＤＲＡＭ５に所定量のデータが蓄積されると、ＣＰＵ６からの信号によってこのデータが読み出され、エンコーダ／デコーダ回路３に供給され、この回路３でデコードされたデータがＤ／Ａコンバータ回路１９に供給され、アナログ化された信号が例えばオーディオ信号の出力端子２０に取り出される。このようにしてミニ・ディスク（ＭＤ）１２に記録されたデータが再生されて出力端子２０に取り出される。
【００１４】
そしてさらにこの装置において、ミニ・ディスク（ＭＤ）１２の記録領域が図２に示すように複数のエリアＡ、Ｂ、Ｃ・・・に分割される。また上述の複数の操作ボタン７１がそれぞれこのエリアＡ、Ｂ、Ｃ・・・に対応して設定される。
【００１５】
これによって例えば操作ボタン７１Ａと記録ボタン７３を押しながら入力端子１に音声信号が入力されると、この音声信号がデータ▲１▼化されてミニ・ディスク（ＭＤ）１２のエリアＡに記録される。次に操作ボタン７１Ｂと記録ボタン７３を押しながら入力端子１に音声信号が入力されると、この音声信号がデータ▲２▼化されてミニ・ディスク（ＭＤ）１２のエリアＢに記録される。さらに操作ボタン７１Ａと記録ボタン７３を押しながら入力端子１に音声信号が入力されると、この音声信号がデータ▲３▼化されてミニ・ディスク（ＭＤ）１２のエリアＡのデータ▲１▼の後に記録される。
【００１６】
さらにこのように記録の行われたミニ・ディスク（ＭＤ）１２に対して、操作ボタン７１Ａが押されると、エリアＡに記録されたデータ▲１▼、▲３▼が再生され、この音声信号が出力端子２０に取り出される。また操作ボタン７１Ｂが押されると、エリアＢに記録されたデータ▲２▼が再生され、この音声信号が出力端子２０に取り出される。
【００１７】
このようにして複数の操作ボタン７１に対応してミニ・ディスク（ＭＤ）１２上の分割されたそれぞれのエリアＡ、Ｂ、Ｃ・・・毎にデータの記録再生が行われる。
【００１８】
従ってこのようなミニ・ディスク（ＭＤ）を使用して、例えば音声メモ装置を構成する場合には、使用者毎に操作ボタン７１を割り当てることによって、簡単な構成で１枚のミニ・ディスク（ＭＤ）を複数の使用者で共用させることができる。
【００１９】
なお上述の０〜９の数字ボタン７２を併用して、いわゆる暗証番号を設定することにより、記録あるいは再生時に暗証番号の一致を判別して、一致したときのみ記録または再生が行われるようにすることもできる。これによって使用者間の機密保持を行うことができる。
【００２０】
またこの装置の外観は、例えば図３に示すようになる。すなわち図において、２１はミニ・ディスク（ＭＤ）１２の装着されるディスク駆動装置である。また２２は入力端子１に接続されるマイクロフォン、２３は出力端子２０に接続されるスピーカである。そしてこれらの下側に上述の操作部７を構成する複数の操作ボタン７１と、０〜９の数字ボタン７２と、記録ボタン７３が設けられる。
【００２１】
こうして上述の装置によれば、ディスク１２の記録領域が複数のエリアに分割され、この分割毎に対応した操作手段（操作ボタン７１）が設けられることによって、各使用者との対応を極めて容易に取ることができるものである。
【００２２】
なお上述の装置において、分割されるエリアの数は必要に応じて任意に設定できるようにすることができる。またその場合に設定された分割の数に応じて操作ボタン７１に使用の可否等の表示を行うようにしてもよい。
【００２３】
さらに上述の装置は、ディスク上にＮ箇所のアクセスポイントが設けられている場合に、このアクセスポイントの名称を０〜Ｎ−１に定め、通常は１〜Ｎ−１のアクセスポイントのみが記録再生可能とされると共に、所定の操作で０のアクセスポイントが記録再生可能とされ、この０のアクセスポイントに特定のメッセージ等が記録再生されるようにする場合にも応用できる。
【００２４】
【発明の効果】
この発明によれば、ディスクの記録領域が複数のエリアに分割され、この分割毎に対応した操作手段が設けられることによって、各使用者との対応を極めて容易に取ることができるようになった。
【図面の簡単な説明】
【図１】本発明によるディスク記録再生装置の一例の構成図である。
【図２】そのディスクの記録領域を示す線図である。
【図３】装置の外観の一例を示す構成図である。
【図４】従来のディスクの記録領域を示す線図である。
【符号の説明】
１  例えばオーディオ信号の入力端子
２  Ａ／Ｄコンバータ回路
３  音声圧縮用のＡＴＲＡＣエンコーダ／デコーダ回路
４  ショック・プルーフ・メモリ・コントローラ
５  １ＭビットＤＲＡＭ
６  システムコントロール用のＣＰＵ
７  操作キー
８  表示部
９  ８−１４変換（ＥＦＭ）と誤り訂正符号化（ＣＩＲＣ）のエンコーダ／デコーダ回路
１０  ヘッド駆動回路
１１  記録ヘッド
１２  ミニ・ディスク（ＭＤ）
１３  サーボ回路
１４  光学ピックアップ
１５  送りモータ
１６  スピンドルモータ
１７  ＲＦアンプ
１８  アドレスデコーダ
１９  Ｄ／Ａコンバータ回路
２０  例えばオーディオ信号の出力端子
【図１】
0003799064.tif 000002
【図２】
0003799064.tif 000003
【図３】
0003799064.tif 000004
【図４】
0003799064.tif 000005